(57)【要約】【課題】本発明は、節電機能によってディスプレイへの電源供給を停止したときに、プロテクト動作の実行が禁止される映像音声再生装置を提供することを目的とする。【解決手段】ＬＣＤ８による表示機能を停止するために、電源回路２ｂからの電力供給を停止させたとき、インバータ回路８からの出力電圧の監視による減電圧保護機能を無効とする。【選択図】図１
2008278116.tif 000002
【特許請求の範囲】
【請求項１】
コンテンツより得られた映像信号に対して信号処理を行う映像出力回路と、前記コンテンツより得られた音声信号に対して信号処理を行う音声出力回路と、前記映像出力回路で処理された映像信号に基づく映像を再生出力するディスプレイと、前記音声出力回路で処理された音声信号に基づく音声を再生出力するスピーカと、装置内の各回路の制御を行う制御回路と、装置内の各回路に電力供給を行う電源回路と、を備える映像音声再生装置において、
前記ディスプレイによる表示が成されないとき、
前記電源回路から前記ディスプレイへの電力供給を停止するとともに、
前記制御回路において、前記ディスプレイへの前記電源回路の出力電圧が所定電圧より低いことを検出して装置内の各回路の動作保護を行う減電圧保護機能を無効とすることを特徴とする映像音声再生装置。
【請求項２】
前記コンテンツより音声信号のみが取得されたとき、前記ディスプレイへの電力供給を停止するとともに、前記減電圧保護機能を無効とすることを特徴とする請求項１に記載の映像音声再生装置。
【請求項３】
装置の各動作が指示される操作部を備え、
前記操作部を通じて前記ディスレプレイへの電力供給の停止が指示されたとき、
前記ディスプレイへの電力供給を停止するとともに、前記減電圧保護機能を無効とすることを特徴とする請求項１又は請求項２に記載の映像音声再生装置。
【請求項４】
前記ディスプレイがバックライトを備えた液晶表示装置であり、
前記電源回路から供給される電力によって前記バックライトに電流供給を行うインバータ回路を備え、
前記マイコンが、前記インバータ回路からの出力電圧を監視することで、前記減電圧保護機能を実行することを特徴とする請求項１〜請求項３のいずれかに記載の映像音声再生装置。
【発明の詳細な説明】
【技術分野】
【０００１】
本発明は、映像及び音声を再生出力する映像音声再生装置に関するもので、特に、バックライトを備えたディスプレイを有する映像音声再生装置に関する。
【背景技術】
【０００２】
放送信号を受信するチューナや、ＤＶＤなどの記録媒体からコンテンツを読み出して再生するプレーヤなどの映像音声再生装置の中には、映像を再生出力するディスプレイや、音声を再生出力するスピーカと一体型となっているものも提供されている。そして、このディスプレイ及びスピーカと一体型となっている映像音声再生装置においては、ディスプレイへの供給電力が大きいため、その消費電力の低減のため、待機時などにおいてディスプレイへの電源供給を停止することが提案されている（特許文献１及び特許文献２参照）。
【０００３】
特許文献１のバックライト自動制御装置では、テレビジョン放送信号の受信の有無に基づいて、液晶モニタのバックライトのＯＮ／ＯＦＦが制御されて、その消費電力の消耗を低減するものとしている。又、特許文献２の電子機器は、液晶ディスプレイ（ＬＣＤ：Liquid Crystal Display）のバックライトの節電も含む複数の節電機能をグループ化し、グループ毎に一括して、その節電機能の管理を行っている。
【０００４】
更に、インバータ保護回路を設けることによって、蛍光管バックライトの異常を検出してインバータ回路に対する電源供給を遮断するとともに、この異常検出に基づいてマイコンがプロテクト動作を実行するＬＣＤ表示装置が提案されている（特許文献３参照）。このＬＣＤ表示装置では、インバータ保護回路において、蛍光管バックライトの管電流が正常上限を上回ったときや、正常下限を下回ったときに、蛍光管バックライトの異常を検出する。即ち、インバータ保護回路では、蛍光管バックライトの管電流が正常上限を上回ったときは、インバータ回路の過電保護を行い、蛍光管バックライトの管電流が正常下限を下回ったときは、インバータ回路の減電保護を行う。
【特許文献１】特開平３−２４８７５号公報
【特許文献２】特開２００６−２５４１８５号公報
【特許文献３】実用新案登録第３１９１００号公報
【発明の開示】
【発明が解決しようとする課題】
【０００５】
しかしながら、特許文献１及び特許文献２のようなバックライトの節電機能を備えた電子機器に、特許文献３におけるインバータ保護回路を設けた場合、上述のバックライトの節電機能によってバックライトの管電流が小さくなったことを検出するため、インバータ回路の減電保護を行うとともに、プロテクト動作が実行されてしまう。そのため、例えば、音声だけによるコンテンツの再生のため映像の再生が必要ない場合に、節電機能によって、消費電力の大きいＬＣＤのバックライトを待機状態とする。このとき、バックライトの管電流が小さくなったことを検出して、プロテクト動作が実行されるため、装置全体が待機状態となってしまう。
【０００６】
このような問題を鑑みて、本発明は、節電機能によってディスプレイへの電源供給を停止したときに、プロテクト動作の実行が禁止される映像音声再生装置を提供することを目的とする。
【課題を解決するための手段】
【０００７】
上記目的を達成するために、本発明の映像音声再生装置は、コンテンツより得られた映像信号に対して信号処理を行う映像出力回路と、前記コンテンツより得られた音声信号に対して信号処理を行う音声出力回路と、前記映像出力回路で処理された映像信号に基づく映像を再生出力するディスプレイと、前記音声出力回路で処理された音声信号に基づく音声を再生出力するスピーカと、装置内の各回路の制御を行う制御回路と、装置内の各回路に電力供給を行う電源回路と、を備える映像音声再生装置において、前記ディスプレイによる表示が成されないとき、前記電源回路から前記ディスプレイへの電力供給を停止するとともに、前記制御回路において、前記ディスプレイへの前記電源回路の出力電圧が所定電圧より低いことを検出して装置内の各回路の動作保護を行う減電圧保護機能を無効とすることを特徴とする。
【０００８】
このように構成される映像音声再生装置において、前記コンテンツより音声信号のみが取得されたとき、前記ディスプレイへの電力供給を停止するとともに、前記減電圧保護機能を無効とするものとしても構わないし、前記操作部を通じて前記ディスレプレイへの電力供給の停止が指示されたとき、前記ディスプレイへの電力供給を停止するとともに、前記減電圧保護機能を無効とするものとしても構わない。
【０００９】
更に、前記ディスプレイがバックライトを備えた液晶表示装置であり、前記電源回路から供給される電力によって前記バックライトに電流供給を行うインバータ回路を備え、前記マイコンが、前記インバータ回路からの出力電圧を監視することで、前記減電圧保護機能を実行するものとしても構わない。
【発明の効果】
【００１０】
本発明によると、低消費電力化のために電力消費の多いディスプレイへの電力供給を停止させたとき、ディスプレイへの出力電圧に基づく減電圧保護機能を無効とすることができる。これにより、ディスプレイを停止させたときに、減電圧保護機能によりディスプレイ以外の他の回路部分に対して保護動作が働き、その動作を停止させることを防ぐことができる。よって、映像音声再生装置内において、低消費電力化のためのディスプレイの電力供給停止と、減電圧保護機能との両立を図ることができる。
【発明を実施するための最良の形態】
【００１１】
本発明の実施の形態について、図面を参照して説明する。本実施形態の映像音声再生装置として、チューナ回路を備えた映像音声再生装置を例に挙げて説明するが、ＤＶＤやハードディスクなどの記録媒体に記録された映像コンテンツ及び音声コンテンツを再生することができる映像音声再生装置であっても構わない。図１は、本実施形態における映像音声再生装置の内部構成を示すブロック図である。
【００１２】
図１に示す映像音声再生装置は、商用電源より供給される交流電圧を直流電圧に変換するＡＣ／ＤＣコンバータ１と、ＡＣ／ＤＣコンバータ１からの直流電圧が供給される電源回路２ａ，２ｂと、装置内の各ブロックの動作制御を行うマイコン３と、放送信号を受信するチューナ回路４と、チューナ回路４で取得された音声信号を復号する音声出力回路５と、音声出力回路５で復号された音声信号に基づいて音声を再生出力するスピーカ６と、チューナ回路４で取得された映像信号の復号及び信号処理を行う映像出力回路７と、映像出力回路７からの映像信号に基づいて画像を再生表示するＬＣＤ８と、ＬＣＤ８の蛍光管バックライト８ａに管電流を供給するインバータ回路９と、ユーザによって操作されて指示が与えられる操作部１０と、を備える。
【００１３】
そして、電源回路２ａは、ＡＣ／ＤＣコンバータ１からの直流電圧を所望の電圧値の直流電圧に変換すると、マイコン３、チューナ回路４、音声出力回路５、及び映像出力回路７それぞれに供給する。又、電源回路２ｂは、ＡＣ／ＤＣコンバータ１からの直流電圧を所望の電圧値の直流電圧に変換すると、ＬＣＤ８及びインバータ回路９それぞれに供給する。更に、マイコン３は、インバータ回路９からＬＣＤ８の蛍光管バックライト８ａに供給する電圧値を監視して、インバータ回路９の過電及び減電による装置の保護を行う。
【００１４】
このような構成の映像音声再生装置において、チューナ回路４で選局された放送信号が復調された後に復号されて、所望チャンネルのコンテンツが取得される。このとき、チューナ回路４で受信した放送信号によるコンテンツが動画コンテンツである場合、映像信号及び音声信号が取得され、得られた音声信号及び映像信号それぞれが音声出力回路５及び映像出力回路７それぞれに与えられる。又、チューナ回路４で受信した放送信号によるコンテンツが音声コンテンツである場合、音声信号が取得され、得られた音声信号が音声出力回路５それぞれに与えられる。
【００１５】
更に、音声出力回路５によって音声信号が復号されてアナログの音声信号に変換されると、このアナログの音声信号がスピーカ６に与えられることで、スピーカ６より音声が再生出力される。又、映像出力回路５によって映像信号が復号されると、この復号後の映像信号がＬＣＤ８のドライバ（不図示）に与えられることで、ＬＣＤ８より映像が再生出力される。このとき、蛍光管バックライト８ａが、インバータ回路９からの管電流が与えられることによって発光するため、ＬＣＤ８より鮮明な映像を再生出力することができる。
【００１６】
このような映像音声再生装置において、映像コンテンツによる放送信号をチューナ回路４で受信している場合は、マイコン３によって電源回路２ｂがＯＮとされて、ＬＣＤ８及びインバータ回路９への電力供給が成される。そして、上述したように、インバータ回路９からの出力電圧をマイコン３が監視して、インバータ回路９からの出力電圧が過電圧又は減電圧となるとき、電源回路２ｂをＯＦＦとするとともに、その他の回路ブロックに対する保護がマイコン３によって成される。特に、減電圧が検出されたときは、負荷変動により、他の回路ブロックへ供給される電圧値が変動することがあるため、マイコン３によって他の回路ブロックに対する保護が働く。
【００１７】
又、音声コンテンツによる放送信号をチューナ回路４で受信している場合は、映像の再生出力が成されないため、マイコン３によって電源回路２ｂがＯＦＦとされて、ＬＣＤ８及びインバータ回路９への電力供給が停止される。このとき、インバータ回路９への電力供給がないため、インバータ回路９からの出力電圧が低くなる。よって、マイコン３による減電圧保護機能を有効である場合、インバータ回路９からの出力電圧が低いことから、マイコン３によって他の回路ブロックに対する保護が働いてしまう。そのため、マイコン３による減電圧保護機能を無効とし、インバータ回路９からの出力電圧の検出がなされないものとする。
【００１８】
このような映像音声再生装置の動作を示すフローチャートを、図２に示す。以下では、図２のフローチャートに従って、映像音声再生装置の動作について説明する。
【００１９】
操作部１０が操作されて、映像音声再生装置の電源がＯＮとされると、商用電源から供給される交流電圧が、ＡＣ／ＤＣコンバータ１によって直流電圧に変換されて、電源回路２ａ，２ｂに供給される（ＳＴＥＰ１）。そして、チューナ回路４によって、設定されたチャンネルに対する選局動作が行われ、設定チャンネルの放送信号に対する受信動作が成される（ＳＴＥＰ２）。
【００２０】
その後、チューナ回路４で受信された放送信号より映像信号が取得されたか否かがマイコン３によって確認される（ＳＴＥＰ３）。このとき、映像信号の取得が確認されると（ＳＥＴＰ３でＹｅｓ）、次に、操作部１０によってＬＣＤ８による表示機能がＯＮと指示されているか否かが、マイコン３によって確認される（ＳＴＥＰ４）。そして、ＬＣＤ８による表示機能がＯＮと指示されていると（ＳＴＥＰ４でＹｅｓ）、まず、マイコン３が電源回路２ｂをＯＮの状態に設定して、ＬＣＤ８及びインバータ回路９に電源供給を行う（ＳＴＥＰ５）。次に、マイコン３において、インバータ回路９からの出力電圧の監視に基づく減電圧保護機能を有効とする（ＳＴＥＰ６）。
【００２１】
一方、受信された放送信号より映像信号が取得されなかったとき（ＳＴＥＰ３でＮｏ）、又は、操作部１０によってＬＣＤ８による表示機能がＯＦＦとされているとき（ＳＴＥＰ４でＮｏ）、マイコン３において、インバータ回路９からの出力電圧の監視に基づく減電圧保護機能を無効とする（ＳＴＥＰ７）。その後、マイコン３が電源回路２ｂをＯＦＦの状態に設定して、ＬＣＤ８及びインバータ回路９への電源供給を停止する（ＳＴＥＰ８）。
【００２２】
このようにして動作するとき、ＳＴＥＰ５において、既に電源回路２ｂがＯＮの状態であるときは、ＯＮの状態のままとし、電源回路２ｂがＯＦＦの状態であるときは、ＯＮの状態に切り換える。同様に、ＳＴＥＰ８において、既に電源回路２ｂがＯＦＦの状態であるときは、ＯＦＦの状態のままとし、電源回路２ｂがＯＮの状態であるときは、ＯＦＦの状態に切り換える。
【００２３】
又、ＳＴＥＰ６において、マイコン３において既に減電圧保護機能を有効の状態に設定しているときは、有効の状態のままとし、減電圧保護機能を無効の状態に設定しているときは、有効の状態に切り換える。同様に、ＳＴＥＰ７において、マイコン３において既に減電圧保護機能を無効の状態に設定しているときは、無効の状態のままとし、減電圧保護機能を有効の状態に設定しているときは、無効の状態に切り換える。
【００２４】
そして、ＳＴＥＰ６で減電圧保護機能を有効としたとき、又は、ＳＴＥＰ８において電源回路２ｂをＯＦＦとしたとき、操作部１０によって、映像音声再生装置の電源がＯＦＦとされたか否かを、マイコン３が確認する（ＳＴＥＰ９）。このとき、操作部１０によって映像音声再生装置の電源ＯＦＦが指示されていない場合（ＳＴＥＰ９でＮｏ）、次に、操作部１０によってチューナ回路４で選局するチャンネルが切り換えられたか否かが、マイコン３によって確認される（ＳＴＥＰ１０）。
【００２５】
チューナ回路４で選局するチャンネルの切換が指示されたとき（ＳＴＥＰ１０でＹｅｓ）、ＳＴＥＰ２に移行して、チューナ回路４で選局するチャンネル周波数が切り換えられて、新たなチャンネルの放送信号の受信動作が行われる。一方、チューナ回路４で選局するチャンネルの切換が指示されていない場合（ＳＴＥＰ１０でＮｏ）、同一のチャンネルの放送信号がチューナ回路４で受信された状態で、ＳＴＥＰ３に移行する。更に、ＳＴＥＰ９において、映像音声再生装置の電源ＯＦＦが指示されていることが確認されると（Ｙｅｓ）、映像音声再生装置の電源がＯＦＦとされ、ＡＣ／ＤＣコンバータ１への電源供給が停止されて、装置全体の動作が停止する（ＳＴＥＰ１１）。
【００２６】
ＳＴＥＰ１１で電源ＯＦＦとされたとき、電源ＯＦＦとされたときの装置の状態（選局しているチャンネル周波数など）が、マイコン３によって記憶され、次に、ＳＴＥＰ１で電源ＯＮとされたとき、マイコン３に記憶された動作状態によって、映像音声再生装置が動作する。尚、このように、映像音声再生装置が電源ＯＮしたときに、前回の電源ＯＦＦ時の動作状態によって、各ブロックが動作するようにしても構わないし、予め記憶した初期状態に再設定してから、各ブロックが動作するようにしても構わない。
【産業上の利用可能性】
【００２７】
本発明は、地上波デジタル／アナログ放送や衛星デジタル／アナログ放送などの各種放送が受信可能なチューナ回路を備えた映像音声再生装置に適用可能である。又、ビデオカセットレコーダ、ＣＤ、ＭＤ、ＤＶＤ、ハードディスク、メモリなどの各種記憶媒体に記憶された音声コンテンツや動画コンテンツを再生する映像音声再生装置に適用可能である。
【図面の簡単な説明】
【００２８】
【図１】は、本発明の実施形態における映像音声再生装置の内部構成を示すブロック図である。
【図２】は、図１の映像音声再生装置の動作を示すフローチャートである。
【符号の説明】
【００２９】
１    ＡＣ／ＤＣコンバータ
２ａ，２ｂ    電源回路
３    マイコン
４    チューナ回路
５    音声出力回路
６    スピーカ
７    映像出力回路
８    ＬＣＤ
９    インバータ回路
１０    操作部
【図１】
2008278116.tif 000003
【図２】
2008278116.tif 000004